(57)【要約】【課題】塵埃の悪臭を長期に渡って、効果的に脱臭できる電気掃除機用集塵袋を提供する。【解決手段】塵埃吸引用の開口部２ａを有すると共に電気掃除機（図示せず）内に装着される口芯２と、開口部２ａより吸引された塵埃を捕集する袋状体４と、粒状又は粉状の脱臭剤（図示せず）を収納した収納ケース３とからなり、収納ケース３の、開口部２ａから流入する空気の流れと略平行な面に、脱臭剤を排出すると共に前記開口部２ａと連通する排出口３ｄを設けたもので、塵埃吸引時の吸引風により、収納ケース３内の脱臭剤が排出口３ｄより排出され、それが、吸引される塵埃と混合して袋状体４内に堆積することにより、塵埃と脱臭剤の接触面積が極めて広く、しかも脱臭剤３ａが、電気掃除機用集塵袋が廃棄或いは、袋状体４が空にされるまで残っているので、脱臭効果が大きくしかも長時間持続できるので、常に快適に掃除を行うことができる。【選択図】図１
2006304933.tif 000002
【特許請求の範囲】
【請求項１】
塵埃吸引用の開口部を有すると共に電気掃除機内に装着される口芯と、前記開口部より吸引された塵埃を捕集する袋状体と、粒状又は粉状の脱臭剤を収納した収納ケースとからなり、前記収納ケースの、前記開口部から流入する空気の流れと略平行な面に、前記脱臭剤を排出すると共に前記開口部と連通する排出口を設けた電気掃除機用集塵袋。
【請求項２】
収納ケースを口芯に取着し、その一部を口芯の開口部の周縁より内方に突出させた請求項１に記載の電気掃除機用集塵袋。
【請求項３】
収納ケースを略直方体で形成した請求項１又は２に記載の電気掃除機用集塵袋。
【請求項４】
収納ケース内に脱臭剤を収納する収納部を設け、前記収納部の底面を、口芯の開口部の最下端の近傍もしくはそれより上方に位置させた請求項１〜３のいずれか１項に記載の電気掃除機用集塵袋。
【請求項５】
収納ケース内に脱臭剤を収納する収納部を設け、前記収納部の下方隅部を略円弧状あるいは傾斜面で形成した請求項１〜３のいずれか１項に記載の電気掃除機用集塵袋。
【請求項６】
収納ケースに、口芯の開口部に連通する第２の開口部を設け、前記第２の開口部の周縁に排出口を複数個設けた請求項１〜５のいずれか１項に記載の電気掃除機用集塵袋。
【請求項７】
排出口の面積は、下方ほど大きく形成した請求項１〜６のいずれか１項に記載の電気掃除機用集塵袋。
【請求項８】
排出口を形成する壁間で形成された排出通路の面積を、口芯の開口部に面した箇所と前記開口部より離れた箇所とで異ならせた請求項１〜７のいずれか１項に記載の電気掃除機用集塵袋。
【請求項９】
排出通路の面積を、口芯の開口部より離れるに従って大きくした請求項８に記載の電気掃除機用集塵袋。
【請求項１０】
排出口の少なくとも１つを、突出部の下流側側面に延設した請求項２〜９のいずれか１項に記載の電気掃除機用集塵袋。
【請求項１１】
排出口の少なくとも１つを、突出部の上流側側面に延設した請求項２〜１０のいずれか１項に記載の電気掃除機用集塵袋。
【請求項１２】
突出部の上流側側面に傾斜面を設けた請求項２〜１１のいずれか１項に記載の電気掃除機用集塵袋。
【請求項１３】
請求項１〜１２のいずれか１項に記載の電気掃除機用集塵袋が装着される集塵室と、前記集塵室内に空気を吸引するための電動送風機を備えた電気掃除機。
【発明の詳細な説明】
【技術分野】
【０００１】
本発明は、電気掃除機用集塵袋及び電気掃除機に関するもので、特に、電気掃除機用集塵袋内に堆積した塵埃の脱臭に関するものである。
【背景技術】
【０００２】
従来の電気掃除機用集塵袋内に堆積した塵埃の脱臭方法として、紙パックや集塵フィルターを構成する濾材に脱臭剤を含浸させて、その脱臭剤によって塵埃から発する臭いを脱臭するようにしたものがある（例えば、特許文献１参照）。又、電気掃除機の電気掃除機用集塵袋を収納する集塵室内空間に消臭芳香剤を設置したものも提案されている（例えば、特許文献２参照）。
【特許文献１】特開平５−７０８７１号公報
【特許文献２】特許第２８１００９０号公報
【発明の開示】
【発明が解決しようとする課題】
【０００３】
しかしながら、上記特許文献１に記載された従来の脱臭方法では、脱臭剤が紙パックや集塵フィルターの濾材のみに含浸されているだけなので、その濾材と塵埃との接触面積が少なく、かつ、接触時間も瞬間的であるため、十分な脱臭効果が得られない、という課題があった。そのため、上記従来の紙パックや集塵フィルターを装着した電気掃除機を運転した時に、塵埃の種類や蓄積期間によっては、電気掃除機からの排気風に混じって悪臭が発せられ、不快なものであった。
【０００４】
又、特許文献２に記載された構成は、集塵室内空間に消臭芳香剤を設置することで、集塵室内に消臭成分を飛散させて、電気掃除機用集塵袋内の塵埃の消臭を行い、運転時の排気臭を緩和させるようにしたものであるが、消臭芳香剤は、塵埃の臭気に別の香りを混合させて、排気臭を緩和するため、根本的な臭気の除去には至らず、吸引した塵埃の種類によっては、不快な異臭として電気掃除機から排気されるという課題を有していた。
【０００５】
また、前記従来の構成では、多量の塵埃を吸引して、長期に渡って保持できる集塵袋式の電気掃除機では、吸引気流がほぼ全て塵埃中を通過するため、吸塵量の増加に従い、臭気発生量が増加し、特に集塵袋の許容量に近い状態では、臭気発生が大幅に増加するため、消臭芳香剤の消臭効果では、ほとんど効果が得られないという課題を有していた。
【０００６】
本発明は、前記従来の課題を解決するもので、電気掃除機用集塵袋内の塵埃量や、貯留期間に関係なく、電気掃除機使用時の排気に含まれる塵埃由来の臭気を大幅に低減し、使用勝手の良い電気掃除機用集塵袋及び電気掃除機を提供することを目的とする。
【課題を解決するための手段】
【０００７】
前記従来の課題を解決するために、本発明の電気掃除機用集塵袋は、塵埃吸引用の開口部を有すると共に電気掃除機内に装着される口芯と、前記開口部より吸引された塵埃を捕集する袋状体と、粒状又は粉状の脱臭剤を収納した収納ケースとからなり、前記収納ケースの、前記開口部から流入する空気の流れと略平行な面に、前記脱臭剤を排出すると共に前記開口部と連通する排出口を設けたもので、塵埃吸引時の吸引風により、収納ケース内の粒状又は粉状の脱臭剤が排出口より排出され、それが、吸引される塵埃と混合して袋状体内に堆積することにより、塵埃と脱臭剤の接触面積が極めて広く、しかも脱臭剤が、電気掃除機用集塵袋が廃棄或いは、袋状体が空にされるまで残っているので、脱臭効果が大きくしかも長時間持続できるので、常に快適に掃除を行うことができる。
【０００８】
また、本発明の電気掃除機は、第１〜１２のいずれか１項に記載された電気掃除機用集塵袋が装着される集塵室と、前記集塵室内に空気を吸引するための電動送風機を備えたもので、優れた脱臭性能を長期間にわたって発揮し、常に快適に使用することが出来る電気掃除機を提供することが出来る。
【発明の効果】
【０００９】
本発明の電気掃除機用集塵袋及び電気掃除機は、塵埃由来の悪臭が排気に含まれるのを大幅に低減し、かつ電気掃除機用集塵袋内の塵埃が許容量に達するまで長期に渡って脱臭効果を維持させることができる。
【発明を実施するための最良の形態】
【００１０】
第１の発明は、塵埃吸引用の開口部を有すると共に電気掃除機内に装着される口芯と、前記開口部より吸引された塵埃を捕集する袋状体と、粒状又は粉状の脱臭剤を収納した収納ケースとからなり、前記収納ケースの、前記開口部から流入する空気の流れと略平行な面に、前記脱臭剤を排出すると共に前記開口部と連通する排出口を設けたもので、塵埃吸引時の吸引風により、収納ケース内の粒状又は粉状の脱臭剤が排出口より排出され、それが、吸引される塵埃と混合して袋状体内に堆積することにより、塵埃と脱臭剤の接触面積が極めて広く、しかも脱臭剤が、電気掃除機用集塵袋が廃棄或いは、袋状体が空にされるまで残っているので、脱臭効果が大きくしかも長時間持続できるので、常に快適に掃除を行うことができる。
【００１１】
第２の発明は、特に、第１の発明の収納ケースを口芯に取着し、その一部を口芯の開口部の周縁より内方に突出させたもので、流入空気は収納ケースの開口内周にスムーズに流れてエゼクター効果が高まるので、脱臭剤の排出がより効果的に、しかも確実に行われ、高い脱臭効果を発揮できる。
【００１２】
第３の発明は、特に、第１又は第２の発明の収納ケースを略直方体で形成したもので、形状が簡単なので、作成が容易で、かつ安価に作成できる。また、効率的に脱臭剤の収納できるので、脱臭剤の収納容量を確保することができる。
【００１３】
第４の発明は、特に、第１〜３のいずれか一つの発明の収納ケース内に脱臭剤を収納する収納部を設け、前記収納部の底面を、口芯の開口部の最下端の近傍もしくはそれより上方に位置させたもので、口芯の開口部より下方では、重力に逆らって脱臭剤を吸引しなければならないが、前記収納部の底面が口芯の開口部の最下端の近傍もしくはそれより上方に位置しているので、脱臭剤を収納部に残留させず確実に排出させることができる。
【００１４】
第５の発明は、特に、第１〜３のいずれか一つの発明の収納ケース内に脱臭剤を収納する収納部を設け、前記収納部の下方隅部を略円弧状あるいは傾斜面で形成したもので、内面形状が滑らかで、排出口に誘われる形状なので、脱臭剤を収納部に残留させず確実に排出させることができる。
【００１５】
第６の発明は、特に、第１〜５のいずれか一つの発明の収納ケースに、口芯の開口部に連通する第２の開口部を設け、前記第２の開口部の周縁に排出口を複数個設けたもので、流入空気は収納ケースの開口内周にスムーズに流れてエゼクター効果が高まるので、脱臭剤の排出がより効果的に、しかも確実に行われ、高い脱臭効果を発揮できる。
【００１６】
第７の発明は、特に、第１〜６のいずれか一つの発明の排出口の面積は、下方ほど大きく形成したもので、吸引されにくい下方の排出口からも容易にかつ効率的に脱臭剤を排出することができる。
【００１７】
第８の発明は、特に、第１〜７のいずれか一つの発明の排出口を形成する壁間で形成された排出通路の面積を、口芯の開口部に面した箇所と前記開口部より離れた箇所とで異ならせたもので、収納ケースからの脱臭剤の排出がよりスムーズに、かつ効果的に行われ、高い脱臭効果を発揮することができる。
【００１８】
第９の発明は、特に、第８の発明の排出通路の面積を、口芯の開口部より離れるに従って大きくしたもので、収納ケースからの脱臭剤の排出がよりスムーズに、かつ効果的に行われ、高い脱臭効果を発揮することができる。
【００１９】
第１０の発明は、特に、第２〜９のいずれか一つの発明の排出口の少なくとも１つを、突出部の下流側側面に延設したもので、流入空気は収納ケースの開口内周にスムーズに流れてエゼクター効果が高まるので、収納ケースからの脱臭剤の排出がよりスムーズに、かつ効果的に行われ、高い脱臭効果を発揮することができる。
【００２０】
第１１の発明は、特に、第２〜１０のいずれか一つの発明の排出口の少なくとも１つを、突出部の上流側側面に延設したもので、収納ケースからの脱臭剤の排出がよりスムーズに、かつ効果的に行われ、高い脱臭効果を発揮することができる。
【００２１】
第１２の発明は、特に、第２〜１１のいずれか一つの発明の突出部の上流側側面に傾斜面を設けたもので、吸引された塵埃が突出部に衝突しても傾斜面を滑って吸引されるので、突出部に引っかかったままになることなく吸引することができる。
【００２２】
第１３の発明は、第１〜１２のいずれか一つの発明の電気掃除機用集塵袋が装着される集塵室と、前記集塵室内に空気を吸引するための電動送風機を備えたもので、優れた脱臭性能を長期間にわたって発揮し、常に快適に使用することが出来る電気掃除機を提供することが出来る。
【００２３】
以下、本発明の実施の形態について、図面を参照しながら説明する。なお、この実施の形態によって本発明が限定されるものではない。
【００２４】
（実施の形態１）
図１は、本発明の電気掃除機用集塵袋の展開斜視図で、図２は、同電気掃除機用集塵袋の収納ケースの斜視図、図３は、同電気掃除機用集塵袋の正面図、図４は、同電気掃除機用集塵袋の収納ケースの要部断面図、図５は、同電気掃除機用集塵袋の収納ケースの斜視図、図６は、同電気掃除機用集塵袋を搭載した電気掃除機の全体斜視図、図７は、同電気掃除機の掃除機本体の断面図である。
【００２５】
図1〜５において、本実施の形態における電気掃除機用集塵袋１（以下“集塵袋１”という）は、塵埃吸引用の開口部２ａを有し、紙材又は樹脂材からなる口芯２と、口芯２の裏面（電気掃除機に装着した時に、吸引風の下流側になる面）に取着されると共に粒状又は粉状の脱臭剤３ａ（図面では誇張して記載しているが実際は数ミクロンのもの）を収納する収納ケース３と、前面に塵埃吸引用の吸引口４ａを有し、紙や布などからなる濾材で袋状に形成された袋状体４から構成されている。本実施の形態では、袋状体４を紙材で形成し、収納ケース３の裏面に接着して取り付けている。
【００２６】
収納ケース３は、全体を略直方体状で形成すると共に、口芯２の開口部２ａと連通する第２の開口部３ｂを備え、その第２の開口部３ｂを形成すると共に口芯２の開口部２ａから流入する吸引風の流れと平行な内周面３ｃには、収納ケース３の内部と第２の開口部３ｂとを連通し、内部に収納された脱臭剤３ａが排出される排出口３ｄが複数個、本実施例では開口部３ｂの左右に夫々設けられている。また、収納ケース３の上端には、収納ケース３内に脱臭剤３ａを充填投入した後に閉じられる蓋３ｅが設けられている（図は、蓋３ｅを閉じた状態を示している）。
【００２７】
収納ケース３は図３に示すようにその第２の開口部３ｂの内周縁の少なくとも一部を、口芯２の開口部２ａの周縁より内方に突出させ、その突出部３ｆの上流側面に、空気流入口３ｇを、下流側面に、空気流出口３ｈ（図５参照）をそれぞれ設けている。さらに、突出部３ｆの上流側面に傾斜面５を形成している。
【００２８】
更に前記収納ケース３は図２、図４に示すようにその内部に脱臭剤３ａを充填収納する収納部８が形成してあり、この収納部８は開口部３ｂの略上半分程度の周辺部に中空状に形成し、その底面８ａが口芯２の開口部２ａの最下端部の近傍或いはそれより上方に位置し、さらに下部の隅部８ｂが略円弧状になるように形成されている。また、排出口３ｄは、収納ケース３の下方ほど面積を大きくして形成すると共に、排出口３ｄを構成する壁体９ａで形成された排出通路９を、口芯２の開口部２ａに面した位置と離れた位置で面積を異なるように設け、離れた位置での面積の方が大きくなるように形成している。
【００２９】
集塵袋１の組み立ての際には、言うまでもなく、口芯２の開口部２ａと、収納ケース３の第２の開口部３ｂ及び袋状体４の吸引口４ａが連通するように、それぞれの位置を合致させて取着される。
【００３０】
本実施の形態では、脱臭剤３ａとして、取り扱いの容易なゼオライトを使用している。
【００３１】
次に、本実施の形態における集塵袋１が装着される電気掃除機について、図６を用いて説明する。
【００３２】
電気掃除機本体６（以下“掃除機本体６”という）は、後部に走行用の後輪７ａが一対、前部に同じく走行用の前輪キャスター７ｂが設けられている。掃除機本体６の前面には、後述の集塵室１５に連通する吸気口１０が設けられ、この吸気口１０にホース１１の一端に設けた接続パイプ１１ａが接続され、ホース１１の他端には、運転操作用のスイッチ１１ｃを有すると共に電気掃除機を使用する際に操作する先端パイプ１１ｂが設けられている。さらに先端パイプ１１ｂは、延長管１２を介して床用吸い込み具１３に接続される。
【００３３】
上記掃除機本体６の前部に、図７に示すように集塵袋１を装着自在に収納すると共に集塵蓋１４で開閉自在に覆われる集塵室１５が、後部に、吸引風を発生させる電動送風機１６を収納する電動送風機室１７が、背面に電動送風機室１７と外部を連通し、電動送風機１６からの排気風を排出する排気口（図示せず）がそれぞれ配されている。１８は、集塵室１５と電動送風機室１７とを仕切る隔壁で、集塵室１５と電動送風機室１７とを連通する格子状の開口１８ａが設けられている。
【００３４】
掃除機本体６の前部に設けた吸気口１０の後端に、ゴム、塩化ビニール、シリコーンなどの弾性材料からなり後方に円環状のリップ２０ａを有するパッキン２０が設けられている。
【００３５】
掃除機本体６への本実施の形態における集塵袋１の装着は、まず集塵袋１の口芯２の下端を掃除機本体６の底部に設けた溝部２２に挿入し、口芯２の上端を、掃除機本体６に傾動自在に設けられたフック２３に引っ掛けることにより完了する。なお口芯２が所定に位置に取り付けられている状態では、パッキン２０のリップ２０ａが口芯２の開口部２ａの周縁に圧接され、気密を保つようになっている。
【００３６】
次に、本実施の形態における集塵袋１を装着した電気掃除機の作用、動作について述べる。
【００３７】
掃除機本体６から導出した電源コード（図示せず）のプラグ（図示せず）を壁コンセント（図示せず）に差し込み、先端パイプ１１ｂに設けたスイッチ１１ｃを操作すると、電動送風機１６の運転が開始し、それによって発生した吸引力が、ホース１１、延長管１２を経て、床用吸い込み具１３の底面に設けた吸い込み口（図示せず）に作用し、周囲の空気と共に、床面の塵埃が吸引される。
【００３８】
床用吸い込み具１３の吸い込み口から流入した空気は吸引風となって、塵埃と共に、延長管１２、ホース１１、吸気口１０を経て、口芯２の開口部２ａ、収納ケース３の第２の開口部３ｂ、袋状体４の吸引口４ａを通って、袋状体４内に流入し、そこで塵埃が捕集され、きれいになった空気が、電動送風機１６を通って、排気口から外部に排出される。
【００３９】
そして、塵埃を含んだ吸引風が、収納ケース３の第２の開口部３ｂを通過する際に、図５矢印で示すように、排出口３ｄを通して収納ケース３内にエゼクター効果による吸引力が作用し、内部に収納された粒状又は紛状の脱臭剤３ａが排出され、その排出された脱臭剤３ａが塵埃と交じり合いながら、袋状体４内に入り奥側（電動送風機１６側）から堆積していく。このとき塵埃はミクロ的に観察すると、個々の塵埃の外周が粒状或いは粉状の脱臭剤３ａで囲まれたような形となるため、塵埃と脱臭剤３ａとの接触面積が極めて広くなり、かつ、集塵袋１内で、塵埃が脱臭剤３ａで囲まれたような形で保持されるようになる。その結果、脱臭剤３ａの脱臭効果は遺憾なく発揮され、臭気は大幅に低減する。例えば臭気の強い犬・猫の毛を集めたものを吸引させて掃除機本体６からの排気風の臭いを嗅いで見たが、その臭いはほとんど感じられない程度まで低減されていた。
【００４０】
また、脱臭剤３ａは、集塵袋１が廃棄或いは、袋状体４が空にされるまで塵埃と共に残っているので、脱臭効果が大きくしかも長時間持続できるので、常に快適に掃除を行うことができる。
【００４１】
また、収納ケース３の第２の開口部３ｂの内周縁の少なくとも一部が口芯２の開口部２ａの周縁より内方に突出しているので、この突出部分では、流入空気が口芯２の開口部２ａの開口縁に邪魔されることなく収納ケース３の第２の開口部３ｂの内周面３ｃをスムーズに流れるようになって、エゼクター効果が良好に発生し、収納ケース３の第２の開口部３ｂの内周面３ｃに設けた排出口３ｄから脱臭剤３ａが良好に排出されることになる。
【００４２】
加えて上記口芯２の開口部２ａから流入する空気の一部が空気流入口３ｇから収納ケース３内に流入するので、脱臭剤３ａの排出がより効果的に、しかも確実に行われ、高い脱臭効果を発揮することができる。なお、本実施の形態では、図に示すように排出口３ｄを突出部３ｆの側面まで延長して空気流入口３ｇを形成しているが、排出口３ｄと空気流入口３ｇを分離して形成しても良い。
【００４３】
また、収納ケース３の、流入する空気の流れと平行な面に設けた排出口３ｄを、突出部３ｆの下流側側面に延設した空気流出口３ｈを設けることにより、収納ケース３からの脱臭剤３ａの排出がよりスムーズに、かつ効果的に行われ、高い脱臭効果を発揮することができる。また、収納ケース３を略直方体で形成したことで、形状作成が容易にでき、安価に作成できる。また、効率的に脱臭剤３ａの収納ができるので、脱臭剤３ａの収納容量を十分確保することができる。
【００４４】
また、突出部３ｆの上流側側面に傾斜面を設けているので、吸引された塵埃が突出部３ｆに衝突しても傾斜面を滑って吸引されるので、突出部３ｆに引っかかることなく確実に吸引される。
【００４５】
収納ケース３内部の収納部８の底面が口芯２の開口部２ａより下方では、重力に逆らって脱臭剤３ａを吸引しなければならないが、本実施の形態では、収納部８の底面を、口芯２の開口部２ａの最下端近傍もしくはそれより上方に位置させているので、脱臭剤３ａを収納部８に残留させず確実に排出させることができる。
【００４６】
さらに、収納部８の下方の隅部８ｂを略円弧状あるいは傾斜面で形成したもので、内面形状が滑らかで、排出口３ｄに誘われる形状となり、脱臭剤３ａを収納部８に残留させず確実に排出させることができる。
【００４７】
複数個設けた排出口３ｄの面積は、下方ほど大きく形成しているので、吸引されにくい下方の排出口３ｄからも容易にかつ効率的に脱臭剤３ａを排出することができる。排出口３ｄを形成する壁間で形成した排出通路９の面積を口芯２の開口部２ａより離れるに従って大きくしているので、収納ケース３からの脱臭剤３ａの排出がよりスムーズに、かつ効果的に行われ、高い脱臭効果を発揮することができる。
【００４８】
さらに、脱臭剤３ａはその粒径或いは粉径を、袋状体４の空気が通過する細孔（袋状体４を形成する紙材や布材の繊維間の隙間）より大きく設定すれば、塵埃と共に吸引された脱臭剤３ａが、袋状体４の細孔を通り抜けることが無く、脱臭剤３ａによる脱臭効果を長期間に渡って維持することができる。
【００４９】
また、脱臭剤３ａを形成するゼオライトに疎水性加工を施せば、粒状又は粉状のゼオライトが、集塵袋１の保管時或いは、使用時に周囲の湿気を吸引して団子状になったりすることが無く、脱臭剤３ａの、収納ケース３の排出口３ｄからの排出性が悪くなり脱臭性能が低下することが無い。
【００５０】
また、収納ケース３を、口芯２の下流側に設けたことにより、収納ケース３を備えていない従来の集塵袋を使用する電気掃除機にも使用できるようになり、互換性に優れ、集塵袋１の製造や在庫管理が簡素化される。
【００５１】
また、口芯２と、収納ケース３と、袋状体４のそれぞれを可燃材料で形成することにより、集塵袋１を廃棄する際、材料分別する必要が無く、一般の燃えるごみとして廃棄できるので、後始末が簡単でしかも衛生的である。
【００５２】
特に可燃材料として、紙材を用いれば、材料コストが安く、また成型用の金型が不要なので、量産性に優れ、トータルコストを大きく低減することができる。
【００５３】
さらに、粒状又は粉状の脱臭剤３ａに帯電防止加工を施せば、集塵袋１の運搬時或いは、集塵袋１を装着した掃除機本体６の移動や使用時に、収納ケース３内の粒状又は粉状の脱臭剤が振動で互いに擦りあっても静電気を帯びないので、互いにくっつきあって、排出口３ｄから出にくくなることが無く、常に優れた脱臭効果を発揮することが出来る。
【００５４】
また、収納ケース３の、流入する空気の流れと平行な面に排出口３ｄを設けたことにより、収納ケース３内の粒状又は粉状の脱臭剤３ａが、吸引風のエゼクター効果による吸引作用により排出口３ｄから途切れることなく、しかも効率的に排出され、高い脱臭効果を発揮することが出来る。また、上記エゼクター効果は、吸引流速に応じて変化するので、吸引風量が多いとき、すなわち吸塵量が多い時には多く、吸引風量が少ない時、すなわち吸塵量が少ない時には少なくなる。すなわち脱臭剤３ａは、吸塵量に応じて自動的に供給量が変わるので無駄なく且つ効果的に脱臭効果を発揮することになる。
【００５５】
本実施の形態では、袋状体４を収納ケース３の裏面に接着して取り付けたが、口芯２の裏面に接着等で取り付けてもよく、コストや集塵袋１の組み立て性を考慮して適宜決められるものである。
【００５６】
又本実施の形態では、袋状体４を紙材で形成したが、布材で形成し、さらに開閉自在の塵埃廃棄用の廃棄口（図示せず）を下流側端部に設け、袋状体４が塵埃で一杯になったら、前記廃棄口を開けて、中の塵埃を捨て、再度使うようにしても良い。この場合は、塵埃の廃棄の都度或いは、数回の塵埃の廃棄ごとに、収納ケース３に脱臭剤３ａを補充する必要があるので、収納ケース３の蓋３ｅを開閉自在にしておき、使用者が必要に応じて脱臭剤３ａを補充できるようにしておくと良い。
【００５７】
さらに、収納ケース３を、透明または半透明材料で形成すれば、内部の脱臭剤３ａの残量が容易に外部から確認できるので、使用途中で脱臭剤３ａが切れたりすることがなく使用勝手が向上する。
【００５８】
なお、上記のように、収納ケース３を透明または半透明材料で形成すれば、脱臭剤３ａが入っている部分の前後に発光素子（図示せず）と受光素子（図示せず）を対向して設けて、脱臭剤３ａの残量を検知し、少なくなったら、その旨を、音、光、振動等で使用者に報知するようにすれば、さらに使用勝手が良くなるものである。
【００５９】
また、上記実施の形態で説明した集塵袋１を電気掃除機に使用することにより、優れた脱臭性能を長期間にわたって発揮し、常に快適に、また楽しく掃除作業を行うことができるものである。
【００６０】
なお、上記実施の形態では、脱臭剤３ａとしてゼオライトを用いたが、吸着剤を用い、塵埃由来の臭気物質である低級脂肪酸類、アンモニア、アルデヒド等様々な臭気に対して吸着効果のある活性炭を用いても良い。
【００６１】
さらに、上記脱臭剤３ａに抗菌剤または芳香剤を混合させることも可能である。抗菌剤の抗菌材料としては、無機系としては、銀系、亜鉛系、銅系、有機系としては、イソチオシアン酸アリル類、カテキン類等を用いるのが、細菌、真菌に対して優れた抗菌効果を発揮し、特に銀系は、少量で高い抗菌効果を発揮する点で特に好ましく、脱臭とともに殺菌効果も得られ安全性の向上も図れる。
【００６２】
ところで、長期旅行等により電気掃除機をしばらく放置した後に、掃除を行う際、収納ケース３内の脱臭剤３ａが吸湿により固まって、脱臭剤３ａの排出がスムーズに行われないケースが起こりうる。これを解決するために、収納ケース３に強制的に振動を与える振動手段（図示せず）を設け、この振動手段を、掃除機本体６の運転開始時に動作させるようにしても良い。なお、振動手段は、特に図示しないが、電気で振動する振動素子や、電源コードの引き出し操作或いは、後輪７の回転に機械的に連動して収納ケース３に振動を加える振動体などで形成すると良い。
【００６３】
又、集塵袋１の袋状体４の少なくとも一部に振動を与える振動手段を設けて、その振動手段を定期的或いは、不定期に動作させるようにすれば、袋状体４内の塵埃と脱臭剤３ａが揺すられ、相互間の接触状態が変わり、より効果的に脱臭することが出来る。
【００６４】
なお、袋状体４に振動を加える振動手段としては、上述の収納ケース３に振動を加える振動手段と同じ構成でも良い。
【産業上の利用可能性】
【００６５】
以上のように、本発明の電気掃除機用集塵袋及び電気掃除機は、塵埃と脱臭剤との接触面積及び接触時間が従来に比べ飛躍的に多くなり、その結果脱臭効果は著しく良好なものとなるもので、電気掃除機に限らず、臭気を発する生ゴミ処理機等各種機器の用途にも適用できる。
【図面の簡単な説明】
【００６６】
【図１】本発明の実施の形態１における電気掃除機用集塵袋の展開斜視図
【図２】同電気掃除機用集塵袋の収納ケースの斜視図
【図３】同電気掃除機用集塵袋の正面図
【図４】同電気掃除機用集塵袋の収納ケースの要部断面図
【図５】同電気掃除機用集塵袋の収納ケースの斜視図
【図６】同電気掃除機用集塵袋を搭載した電気掃除機の全体斜視図
【図７】同電気掃除機の掃除機本体の断面図
【符号の説明】
【００６７】
１    電気掃除機用集塵袋（集塵袋）
２    口芯
２ａ  開口部
３    収納ケース
３ａ  脱臭剤
３ｄ  排出口
４    袋状体
６    電気掃除機本体（掃除機本体）
１６  電動送風機
【図１】
2006304933.tif 000003
【図２】
2006304933.tif 000004
【図３】
2006304933.tif 000005
【図４】
2006304933.tif 000006
【図５】
2006304933.tif 000007
【図６】
2006304933.tif 000008
【図７】
2006304933.tif 000009